(57)【要約】本発明は、玩具分野に関し、詳しくは、磁石を取り付けるための磁石取付け用部品及び磁石玩具に関する。特に、本発明は、内部に磁石（２０）が回転可能に収容され、上記内部に収容された磁石（２０）が外部磁石（２０’）との引力によりくっつく栓部（３２Ａ）は、非磁性で形成され、上記栓部（３２Ａ）以外の部分のうち少なくとも一部には、上記内部に収容された磁石（２０）がつくことができる素材からなる磁性部（Ｍ）が形成されたことを特徴とする磁石取付け用部品（３０）及び磁石玩具（２）を提示する。
2013514128.tif 000002
【特許請求の範囲】
【請求項１】
内部に磁石（２０）が回転可能に収容され、
前記内部に収容された磁石（２０）が外部磁石（２０’）との引力によりくっつく栓部（３２Ａ）は、非磁性で形成され、
前記栓部（３２Ａ）以外の部分のうち少なくとも一部には、前記内部に収容された磁石（２０）がつくことができる素材からなる磁性部（Ｍ）が形成されたことを特徴とする磁石取付け用部品（３０）。
【請求項２】
前記磁石取付け用部品（３０）は、非磁性素材であるオーステナイト系ステンレス鋼で形成され、前記オーステナイト系ステンレス鋼が、加工により磁性を示すマルテンサイトに組織が変化し、前記磁性部（Ｍ）が備えられたことを特徴とする、請求項１に記載の磁石取付け用部品（３０）。
【請求項３】
非磁性素材で形成され、内部に磁石（２０）が回転可能に収容される本体部材（１００）、及び
前記本体部材（１００）の内部に収容された磁石（２０）がつくことができる素材で形成され、前記本体部材（１００）の内部の一側に備えられる磁性部形成部材（１１０）、を含むことを特徴とする磁石取付け用部品（３０）。
【請求項４】
磁石（２０）が回転可能に収容される磁石収容空間（３０Ａ）の一部をなし、非磁性素材で形成された第１部材（１２０）、及び
前記第１部材（１２０）と結合され、前記磁石収容空間（３０Ａ）を形成することができるように前記磁石収容空間（３０Ａ）の残りの部分をなし、前記磁石収容空間（３０Ａ）に収容された磁石（２０）がつくことができる素材で形成された第２部材（１３０）、を含むことを特徴とする磁石取付け用部品（３０）。
【請求項５】
前記磁石（２０）が収容されることができるように一面が開放された磁石収容空間（３０Ａ）が形成された本体部（３２）、及び
前記本体部（３２）の磁石収容空間（３０Ａ）に収容された磁石（２０）が、前記本体部（３２）の開放された一面を通じて離脱することを防止するように備えられた離脱防止部（３４）、を含み、
前記本体部（３２）は、非磁性を示し、前記離脱防止部（３４）の少なくとも一部が、前記磁石（２０）がつくことができるように形成されたことを特徴とする、請求項１乃至４のいずれか一項に記載の磁石取付け用部品（３０）。 
【請求項６】
前記磁石（２０）が収容されることができるように一面が開放された磁石収容空間（３０Ａ）が形成された本体部（３２）、及び
前記本体部（３２）の外側に突設されたくさび部（３６）、を含み、
前記本体部（３２）は、非磁性を示し、前記くさび部（３６）の少なくとも一部が、前記磁石（２０）がつくことができるように形成されたことを特徴とする、請求項１乃至４のいずれか一項に記載の磁石取付け用部品（３０）。
【請求項７】
少なくとも前記非磁性部分は、金属素材で形成されたことを特徴とする、請求項１、３、４のいずれか一項に記載の磁石取付け用部品（３０）。
【請求項８】
請求項１項乃至４のいずれか一項に記載の磁石取付け用部品（３０）、
前記磁石取付け用部品（３０）の内部に収容された磁石（２０）、及び
前記磁石取付け用部品（３０）が一面に設けられた本体（１０）、を含むことを特徴とする磁石玩具（２）。
【請求項９】
前記磁石取付け用部品（３０）の非磁性部分は、金属素材で形成されたことを特徴とする、請求項７に記載の磁石玩具（２）。
【請求項１０】
磁石収容溝（１２）が形成された本体（１０）、
前記本体（１０）の磁石収容溝（１２）に回転可能に収容される磁石（２０）、
前記本体（１０）の磁石収容溝（１２）を覆蓋する非磁性素材の覆蓋部材（２００）、及び
前記本体（１０）の磁石収容溝（１２）の一側に備えられ、前記磁石（２０）がつくことができる素材で形成された磁性部形成部材（１１０）、を含むことを特徴とする磁石玩具（２）。
【請求項１１】
前記覆蓋部材（２００）は、金属素材で形成されたことを特徴とする、請求項１０に記載の磁石玩具（２）。
【発明の詳細な説明】
【技術分野】
【０００１】
本発明は、玩具分野に関し、詳しくは、磁石を取り付けるための磁石取付け用部品及び磁石玩具（ＣＯＭＰＯＮＥＮＴ  ＦＯＲ  ＭＡＧＮＥＴＩＣ  ＡＴＴＡＣＨＭＥＮＴ  ＡＮＤ  Ａ  ＭＡＧＮＥＴＩＣ  ＴＯＹ）に関する。
【背景技術】
【０００２】
最近、乳児の創作能力を高めるための玩具として、磁石を利用していくつかのブロックを組み立てることによって、建物、自動車、ロボットなどを作りながら楽しむことができる磁石玩具が多く開発されている。
【０００３】
磁石玩具は、基本的に、玩具の本体の各面に磁石を取り付け、その取り付けられた磁石の相互接合により各玩具間を結合自在にする構成を取る。
【０００４】
特に、全ての磁石は、Ｎ極とＳ極を有するが、互いに同一の磁極が対向して斥力が発生することによって、部品間の結合が不可能になる場合が発生し得る。これを防止するために、磁石が回転自在に取り付けられた発明が提案されている。
【０００５】
ところが、乳児の創作能力をより高めるための方案に対する要求が持続的に行われている実情がある。
【発明の概要】
【発明が解決しようとする課題】
【０００６】
本発明は、上記のような問題点を解決するために案出されたものであって、乳児の聴覚を刺激して創作能力をより高め、持続的な興味を引き起こすことができる磁石取付け用部品及び磁石玩具を提供することをその目的とする。
【課題を解決するための手段】
【０００７】
上記した課題を解決するために、本発明は、内部に磁石（２０）が回転可能に収容され、上記内部に収容された磁石（２０）が外部磁石（２０’）との引力によりくっつく栓部（３２Ａ）は、非磁性で形成され、上記栓部（３２Ａ）以外の部分のうち少なくとも一部には、上記内部に収容された磁石（２０）がつくことができる素材からなる磁性部（Ｍ）が形成されたことを特徴とする磁石取付け用部品（３０）を提示する。
【０００８】
上記磁石取付け用部品（３０）は、非磁性素材であるオーステナイト系ステンレス鋼で形成され、上記オーステナイト系ステンレス鋼が、加工により磁性を示すマルテンサイトに組織が変化し、上記磁性部（Ｍ）が備えられ得る。
【０００９】
上記磁石（２０）が収容されることができるように一面が開放された磁石収容空間（３０Ａ）が形成された本体部（３２）、及び上記本体部（３２）の磁石収容空間（３０Ａ）に収容された磁石（２０）が、上記本体部（３２）の開放された一面を通じて離脱することを防止するように備えられた離脱防止部（３４）、を含み、上記本体部（３２）は、非磁性を示し、上記離脱防止部（３４）の少なくとも一部が、上記磁石（２０）がつくことができるように形成され得る。
【００１０】
上記磁石（２０）が収容されることができるように一面が開放された磁石収容空間（３０Ａ）が形成された本体部（３２）、及び上記本体部（３２）の外側に突設されたくさび部（３６）、を含み、上記本体部（３２）は、非磁性を示し、上記くさび部（３６）の少なくとも一部が、上記磁石（２０）がつくことができるように形成され得る。
【００１１】
少なくとも上記非磁性部分は、金属素材で形成され得る。
【００１２】
また、上記した課題を解決するために、本発明は、非磁性素材で形成され、内部に磁石（２０）が回転可能に収容される本体部材（１００）、及び上記本体部材（１００）の内部に収容された磁石（２０）がつくことができる素材で形成され、上記本体部材（１００）の内部の一側に備えられる磁性部形成部材（１１０）、を含むことを特徴とする磁石取付け用部品（３０）を提示する。
【００１３】
また、上記した課題を解決するために、本発明は、磁石（２０）が回転可能に収容される磁石収容空間（３０Ａ）の一部をなし、非磁性素材で形成された第１部材（１２０）、及び上記第１部材（１２０）と結合され、上記磁石収容空間（３０Ａ）を形成することができるように上記磁石収容空間（３０Ａ）の残りの部分をなし、上記磁石収容空間（３０Ａ）に収容された磁石（２０）がつくことができる素材で形成された第２部材（１３０）、を含むことを特徴とする磁石取付け用部品（３０）を提示する。
【００１４】
また、上記した課題を解決するために、本発明は、上述した磁石取付け用部品（３０）、上記磁石取付け用部品（３０）の内部に収容された磁石（２０）、及び上記磁石取付け用部品（３０）が一面に設けられた本体（１０）、を含むことを特徴とする磁石玩具（２）を提示する。
【００１５】
上記磁石取付け用部品（３０）の非磁性部分は、金属素材で形成され得る。
【００１６】
また、上記した課題を解決するために、本発明は、磁石収容溝（１２）が形成された本体（１０）、上記本体（１０）の磁石収容溝（１２）に回転可能に収容される磁石（２０）、上記本体（１０）の磁石収容溝（１２）を覆蓋する非磁性素材の覆蓋部材（２００）、及び上記本体（１０）の磁石収容溝（１２）の一側に備えられ、上記磁石（２０）がつくことができる素材で形成された磁性部形成部材（１１０）、を含むことを特徴とする磁石玩具（２）を提示する。
【００１７】
上記覆蓋部材（２００）は、金属素材で形成され得る。
【発明の効果】
【００１８】
本発明は、磁石がころころと転がりながら共鳴現象により音を出すことができるので、乳児の聴覚を刺激して創作能力をより高め、持続的な興味を引き起こすことができる。
【００１９】
図１以下は、本発明による磁石取付け用部品及び磁石玩具に関する。
【図面の簡単な説明】
【００２０】
【図１】第１実施例による磁石玩具の斜視図。
【図２】図１の断面図。
【図３】図２の磁石取付け用部品の断面図。
【図４】図２の磁石取付け用部品の斜視図。
【図５】第２実施例による磁石取付け用部品の断面図。
【図６】第３実施例による磁石取付け用部品の断面図。
【図７】第４実施例による磁石取付け用部品の断面図。
【図８】第５実施例による磁石取付け用部品の断面図。
【図９】磁石玩具と他の磁石玩具との組み立て状態を示した断面図。
【図１０】磁石玩具と他の磁石玩具との分離状態を示した断面図。
【図１１】別の実施例による磁石玩具の断面図。
【発明を実施するための形態】
【００２１】
以下、添付した図面を参照し、本発明の実施例について詳しく説明する。
【００２２】
図１以下に示されているように、本発明による磁石玩具２は、基本的に、磁石２０が取り付けられた本体１０を含む。
【００２３】
本体１０は、磁石２０が突出することよりは内蔵されることができるように、磁石２０が取り付けられる磁石収容溝１２が１つ以上形成され得る。
【００２４】
磁石２０は、図１〜図１０に示されているように、磁石取付け用部品３０により取り付けられ得る。
【００２５】
磁石取付け用部品３０は、基本的に、磁石２０が収容されることができるように一面が開放された磁石収容空間３０Ａが形成された本体部３２を含んで構成されることによって、キャップ（ｃａｐ）構造を取ることができる。すなわち、磁石取付け用部品３０の本体部３２は、上述した磁石収容空間３０Ａに収容された磁石２０が外部磁石２０’（すなわち、他の磁石玩具２’に取り付けられた磁石）との引力によりくっつく栓部３２Ａと、栓部３２Ａとともに上述した磁石収容空間３０Ａを形成することができるように栓部３２Ａから延設された周り部３２Ｂとを含んで構成され得る。このとき、磁石収容空間３０Ａに収容された磁石２０がころころと転がりながら十分に回転することができるように磁石収容空間３０Ａは、磁石２０よりも大きく形成され得る。
【００２６】
さらには、磁石取付け用部品３０は、本体部３２の磁石収容空間３０Ａに収容された磁石２０が、本体部３２の開放された一面を通じて離脱することを防止するように備えられた離脱防止部３４をさらに含むことができる。
【００２７】
離脱防止部３４は、図５及び図６に示されているように、上記本体部３２の開放された一面の一部を遮蔽するように、本体部３２の開放された一面側の端、すなわち、本体部３２の周り部３２Ｂの端から本体部３２の開放された一面の内側領域に向かって延設された構造を取ることができる。または、離脱防止部３４は、図８に示されているように、本体部３２に結合され、本体部３２の開放された一面を覆う蓋からなり得る。離脱防止部３４は、図示されたこと以外にも、いろいろ形成され得ることはもちろんである。
【００２８】
また、磁石取付け用部品３０は、磁石取付け用部品３０が設けられる磁石玩具２の本体１０に打ち込まれて固定されることができるように、本体部３２の外側に突設されたくさび部３６を含むことができる。くさび部３６は、図示されたこと以外にも、いろいろ形成され得ることはもちろんである。
【００２９】
特に、磁石取付け用部品３０は、栓部３２Ａは、非磁性で形成され、栓部３２Ａ以外の部分のうち少なくとも一部には、内部に収容された磁石２０がつくことができる素材からなる磁性部Ｍで形成されることを特徴とする。
【００３０】
すなわち、磁石２０は、磁石取付け用部品３０の栓部３２Ａに引き寄せる外力が作用しないと、図２、３、５、６、７、８、１０に示されているように、磁性部Ｍまたは磁性部Ｍ側にくっついている。また、図９に示されているように、磁石２０は、磁性部Ｍにくっついた状態で他の磁石玩具２’に取り付けられた磁石２０との引力作用などにより磁石取付け用部品３０の栓部３２Ａに引き寄せる外力が作用すると、磁性部Ｍから栓部３２Ａに移動してくっつき、このとき、ころころと転がって回転しながら移動し得る。
【００３１】
従って、磁石２０が磁石取付け用部品３０の栓部３２Ａから離れていてから磁石取付け用部品３０の栓部３２Ａにくっつくと、磁石取付け用部品３０の磁石収容空間３０Ａに共鳴現象が起き、磁石２０が磁石取付け用部品３０に‘どんと’とぶつかることによって音がすることができる。
【００３２】
このように発生する音により、乳児の聴覚が刺激を受けて乳児の創作能力がより高まることができ、乳児が持続的に興味を感じることができる。
【００３３】
このとき、磁石取付け用部品３０は、少なくとも非磁性部分が木またはプラスチックよりは金属素材で形成されると、鈍くない、より澄んで軽快な音がすることができる。
【００３４】
また、磁石２０が磁石取付け用部品３０の磁性部Ｍにくっついている状態で、磁石玩具２を揺り動かすか、または磁石玩具２の本体１０若しくは磁石取付け用部品３０をたたくと、磁石２０が磁石取付け用部品３０の磁性部Ｍから弾みながらテンション（ｔｅｎｓｉｏｎ）を感じることができ、これによりまた別の楽しみ及び興味を与えることができる。
【００３５】
このような磁石取付け用部品３０は、次のように様々に形成され得る。ただし、磁石２０間の引力により磁石玩具２が他の磁石玩具２’と接合されるためには、磁石取付け用部品３０は、磁石玩具２の磁石２０が磁性部Ｍと相互作用する磁力が、他の磁石玩具２’の磁石２０と相互作用する磁力よりは小さくなるように形成されることが好ましい。
【００３６】
このために、磁性部Ｍは、次のように磁石２０をなす素材（例えば、フェライト）よりは磁性が弱くなるように形成されることが好ましい。
【００３７】
第一に、図１〜図６、図９及び図１０に示されているように、オーステナイト系ステンレス鋼は、加工によりマルテンサイトに組織が変化すると、そのマルテンサイトに組織が変化した部分が磁性を示すこととなる。
【００３８】
従って、磁石取付け用部品３０は、非磁性素材であるオーステナイト系ステンレス鋼で磁石取付け用部品３０を形成し、製造過程で磁性部Ｍに対応する部分をマルテンサイトに組織が変化するように加工するか、または加工により生じた磁性を後処理により除去せずにそのまま置く。そうすると、磁性部Ｍを有する非磁性素材の磁石取付け用部品３０を作ることができる。
【００３９】
すなわち、磁石取付け用部品３０は、栓部３２Ａを含む本体部３２が非磁性を示し、離脱防止部３４またはくさび部３６が加工により磁性部Ｍをなし、離脱防止部３４またはくさび部３６が栓部３２Ａと反対側にあるため、磁石収容空間３０Ａに収容された磁石２０が、外部磁石２０’との磁力の形成可否によって回転しながら栓部３２Ａまたは離脱防止部３４、くさび部３６側にぶつかって十分な音を出すことができる。
【００４０】
第二に、図７に示されているように、磁石取付け用部品３０は、非磁性素材（例えば、オーステナイト系ステンレス鋼）で形成され、内部に磁石２０が回転可能に収容される本体部材１００と、本体部材１００の内部に収容された磁石２０がつくことができる素材で形成され、本体部材１００の内部の一側に備えられることによって磁性部Ｍをなす磁性部形成部材１１０を含んで構成され得る。
【００４１】
このとき、本体部材１００は、本体部３２はもちろん、離脱防止部３４、くさび部３６を含むことができ、加工により磁性が生じると、熱処理などの後処理などにより磁性が除去され得る。磁性部形成部材１１０は、磁石２０と磁石２０との間の磁力よりは弱くなるように、フェライトなどの磁石２０をなす素材よりは鉄などの金属素材が適切であり、回転する磁石２０により十分な音がするように栓部３２Ａとの距離を隔てることがより有利なところ、本体部材１００の栓部３２Ａの反対側の端側に構成されることが好ましい。
【００４２】
第三に、磁石取付け用部品３０は、磁石２０が回転可能に収容される磁石収容空間３０Ａの一部をなし、非磁性素材で形成された第１部材１２０と、第１部材１２０と結合され、磁石収容空間３０Ａを形成することができるように磁石収容空間３０Ａの残りの部分をなし、磁石収容空間３０Ａに収容された磁石２０がつくことができる素材で形成された第２部材１３０とを含んで構成され得る。
【００４３】
このとき、第１部材１２０は、加工により磁性が生じると、熱処理などの後処理などにより磁性が除去され得る。第２部材１３０は、磁石２０と磁石２０との間の磁力よりは弱くなるように、フェライトなどの磁石２０をなす素材よりは鉄などの金属素材が適切である。
【００４４】
第１部材１２０及び第２部材１３０は、様々な形状で形成され得、好ましくは、図示されているように、それぞれキャップ構造で形成され得る。
【００４５】
一方、図１１に示されているように、本発明のまた別の実施例による磁石玩具２は、磁石２０が本体１０の磁石収容溝１２に直ぐに取り付けられ得る。すなわち、図１１に示されているような磁石玩具２は、磁石収容溝１２が形成された本体１０と、本体１０の磁石収容溝１２に回転可能に収容される磁石２０と、本体１０の磁石収容溝１２を覆蓋する非磁性素材の覆蓋部材２００と、本体１０の磁石収容溝１２の一側に備えられ、磁石２０がつくことができる素材で形成された磁性部形成部材１１０とを含んで構成され得る。
【００４６】
従って、外部磁石２０’との引力が作用しないと、磁石２０は、磁性部形成部材１１０にくっついており、外部磁石２０’との引力が作用すると、磁石２０は、覆蓋部材２００に接合される。
【００４７】
このとき、覆蓋部材２００は、澄んで軽快な音のために、金属素材で形成され得る。磁性部形成部材１１０は、覆蓋部材２００とできるだけ距離を隔てて設けられることが好ましい。
【００４８】
以上は、本発明により具現され得る好ましい実施例の一部について説明したものに過ぎないので、周知のように、本発明の範囲は、上記の実施例に限定されて解釈されてはならず、上記にて説明された本発明の技術的思想とその根本を共にする技術的思想はいずれも本発明の範囲に含まれると言える。
【符号の説明】
【００４９】
２    ：磁石玩具                                  １０  ：本体
１２  ：磁石収容溝                                ２０  ：磁石
３０  ：磁石取付け用部品                          ３２  ：本体部
３２Ａ：栓部                                      ３２Ｂ：周り部
３４  ：離脱防止部                                ３６  ：くさび部
Ｍ    ：磁性部
【図１】
2013514128.tif 000003
【図２】
2013514128.tif 000004
【図３】
2013514128.tif 000005
【図４】
2013514128.tif 000006
【図５】
2013514128.tif 000007
【図６】
2013514128.tif 000008
【図７】
2013514128.tif 000009
【図８】
2013514128.tif 000010
【図９】
2013514128.tif 000011
【図１０】
2013514128.tif 000012
【図１１】
2013514128.tif 000013
【国際調査報告】
2013514128.tif 000014
2013514128.tif 000015
2013514128.tif 000016
2013514128.tif 000017